(57)【要約】  養殖を支持するための保管およびメインテナンス設備を有する半潜水可能なプラットフォームに基づく沖合養殖システムであって、沖合養殖システムは、取付けられた枠組みを有し、枠組みには、網で覆われた剛性の養殖槽が可動に接続され、海の状態に従って制御可能に位置付けられる。槽は、養殖物を保護するために沈めるまたは上昇され得、メインテナンスおよび給餌はすべて、プラットフォームに乗った乗組員により実施される。
2015515863.tif 000002
【特許請求の範囲】
【請求項１】
沖合養殖システムであって、前記沖合養殖システムは、
養殖を支持するための保管およびメインテナンス設備を有する半潜水可能なプラットフォームと、
前記半潜水可能なプラットフォームに接続された枠組みと、
制御可能な位置付け装置により前記枠組みに可動に接続された、複数の網で覆われた剛性の養殖槽とを備え、前記槽の鉛直方向寸法は、その水平方向寸法より大きく、前記槽は、前記プラットフォームに対して鉛直方向に可動であり、前記沖合養殖システムはさらに、
制御ユニットを備え、前記制御ユニットは、前記位置付け装置を制御し、海の状態に従って前記複数の剛性養殖槽の海面に対する深さを決定するように構成された、沖合養殖システム。
【請求項２】
前記位置付け装置は、前記槽が前記枠組みに対して動かされると、前記枠踏みから汚れを機械的に除去するように構成された、請求項１に記載の沖合養殖システム。
【請求項３】
各前記槽はさらに、鉛直方向に可動な仕切りを含み、前記仕切りは、仕切り位置付け装置により前記槽に接続され、前記制御ユニットにより制御される、請求項１に記載の沖合養殖システム。
【請求項４】
前記位置付け装置は、前記槽が前記枠組みに対して動かされると、前記枠組みから汚れを機械的に除去するように構成され、各前記槽内で、前記仕切り位置付け装置は、前記仕切りが前記槽に対して動かされると、前記槽から汚れを除去するように構成された、請求項３に記載の沖合養殖システム。
【請求項５】
前記仕切りは、前記槽の傾斜床である、請求項３に記載の沖合養殖システム。
【請求項６】
各前記槽の前記制御可能な位置付け装置は、
前記枠組みの一部である複数のレールを含み、前記槽は、前記レールに沿って摺動可能であり、前記制御可能な位置付け装置はさらに、
前記槽に接続されたモータを含み、前記モータは、前記制御ユニットより制御され、前記槽を鉛直方向に動かすように構成された、請求項１に記載の沖合養殖システム。
【請求項７】
前記モータは、前記槽の鉛直方向に可動な床に接続された鉛直方向ケーブルにより前記槽に接続され、
各前記槽はさらに、前記床の縁に隣接する回動された回転可能なタブを含み、前記制御可能な位置付け装置は、ロック機構を含み、前記ロック機構は、
回転可能な鉛直方向シャフトを含み、前記回転可能な鉛直方向シャフトは、前記シャフトに沿った特定の高さに複数の平行なピンを含み、前記ピンは、前記槽の対応する穴に嵌入し、前記制御可能な位置付け装置はさらに、
前記回転可能なタブに嵌入し、前記シャフトが回転すると、前記タブを回転させるように構成された突起を含み、
前記ロック機構は、前記シャフトの回転により相互に変更可能な床ロック位置および槽ロック位置を有し、
前記床ロック位置では、前記槽を鉛直方向に動かす上方鉛直方向移動の際に、前記突起は、前記タブを保持して前記床を前記槽に接続し、
前記槽ロック位置では、前記突起は、前記タブを解除して前記床を開放し、前記ピンは、前記槽の前記対応する穴内に挿入され、前記槽を固定しつつ前記床を鉛直方向に動かす、請求項６に記載の沖合養殖システム。
【請求項８】
前記枠組みは、前記槽の鉛直方向寸法を有し、前記位置付け装置は、前記槽を、前記槽が前記枠組み内に鉛直方向に収容される上部位置と、前記槽が前記枠組み下方に位置付けられる下部位置との間で動かすように構成された、請求項１に記載の沖合養殖システム。
【請求項９】
前記制御ユニットは、気象学的センサを含み、前記気象学的センサからの測定に基づいて、測定され、予測された海の状態に対する前記槽の深さを自動的に決定するように構成された、請求項１に記載の沖合養殖システム。
【請求項１０】
前記槽の鉛直方向寸法は、少なくとも３０ｍであり、前記槽の前記水平方向寸法は、少なくとも１５ｍである、請求項１に記載の沖合養殖システム。
【請求項１１】
沖合養殖方法であって、前記沖合養殖方法は、
半潜水可能なプラットフォームに接続された枠組みに可動に接続された、複数の網に覆われた剛性養殖槽内で養殖を行なうステップを含み、前記槽の鉛直方向寸法は、その水平方向寸法より大きく、前記槽は、前記枠組みに対して鉛直方向に可動であり、前記沖合養殖方法はさらに、
海の状態に従って海面に対する前記槽の深さを制御するステップと、
前記槽内での継続的な沖合養殖を支持するために、前記プラットフォームを設置するステップとを含む、沖合養殖方法。
【請求項１２】
海の状態に従って前記槽を沈めるおよび浮かせるステップをさらに含む、請求項１１に記載の沖合養殖方法。
【請求項１３】
前記槽を動かして、前記枠組みから生物による汚れを機械的に除去するステップをさらに含む、請求項１１に記載の沖合養殖方法。
【請求項１４】
鉛直方向に可動な仕切りまたは鉛直方向に可動な床により、各前記槽をさらに区切るステップをさらに含む、請求項１１に記載の沖合養殖方法。
【請求項１５】
前記槽内の前記仕切りまたは前記床を動かして、前記槽から生物による汚れを機械的に除去するステップをさらに含む、請求項１４に記載の沖合養殖方法。
【請求項１６】
前記槽を水中に維持するステップをさらに含む、請求項１１に記載の沖合養殖方法。
【発明の詳細な説明】
【技術分野】
【０００１】
発明の背景
１．技術分野
本発明は、養殖の分野に関し、より特定的には、沖合養殖に関する。
【背景技術】
【０００２】
２．関連技術の説明
沖合養殖は拡大しているが、より従来の沿岸養殖よりも荒海の状態に対応しなくてはならない。
【０００３】
荒海の状態に対する解決策は、ＷＩＰＯ文献番号第２００４０４３７７７号に提案されており、この文献には、単一ブイに加えて特別な枠設計を用いて波のエネルギを吸収する、外海養殖のための可撓性漁槽システムが教示されている。このシステムは、漁網を保持する可撓性構造を含み、かつ、水を充填可能なタンクから水を排水する排気ポンプメカニズムにより潜水可能である。
【発明の概要】
【課題を解決するための手段】
【０００４】
簡単な概要
本発明の一局面は、沖合養殖システムであって、沖合養殖システムは、養殖を支持するための保管およびメインテナンス設備を有する半潜水可能なプラットフォームと、半潜水可能なプラットフォームに接続された枠組みと、制御可能な位置付け装置により枠組みに可動に接続された、複数の網で覆われた剛性の養殖槽とを含み、槽の鉛直方向寸法は、その水平方向寸法より大きく、槽は、プラットフォームに対して鉛直方向に可動であり、沖合養殖システムはさらに、制御ユニットを含み、制御ユニットは、位置付け装置を制御し、海の状態に従って複数の剛性養殖槽の海面に対する深さを決定するように構成された、沖合養殖システムを提供する。
【０００５】
発明の実施形態のより良い理解のために、また、これらがどのように実施されるかを示すために、以下、純粋に例示として、添付の図面を参照する。図中、同一の参照番号は、全図面を通して一致する要素または部分を示す。
【図面の簡単な説明】
【０００６】
【図１Ａ】発明の一部の実施形態に係る沖合養殖システムの高階層概略図である。
【図１Ｂ】発明の一部の実施形態に係る沖合養殖システムの高階層概略図である。
【図１Ｃ】発明の一部の実施形態に係る沖合養殖システムの高階層概略図である。
【図２Ａ】発明の一部の実施形態に係る沖合養殖システムの槽床および槽取付けの詳細の高階層概略図である。
【図２Ｂ】発明の一部の実施形態に係る沖合養殖システムの槽床および槽取付けの詳細の高階層概略図である。
【図２Ｃ】発明の一部の実施形態に係る沖合養殖システムの槽床および槽取付けの詳細の高階層概略図である。
【図２Ｄ】発明の一部の実施形態に係る沖合養殖システムの槽床および槽取付けの詳細の高階層概略図である。
【図３Ａ】発明の一部の実施形態に係る沖合養殖システムにおける位置付け装置およびロック機構の高階層概略図である。
【図３Ｂ】発明の一部の実施形態に係る沖合養殖システムにおける位置付け装置およびロック機構の高階層概略図である。
【図３Ｃ】発明の一部の実施形態に係る沖合養殖システムにおける位置付け装置およびロック機構の高階層概略図である。
【図３Ｄ】発明の一部の実施形態に係る沖合養殖システムにおける位置付け装置およびロック機構の高階層概略図である。
【図４】発明の一部の実施形態に係る沖合養殖方法を図示する高階層フローチャートである。
【発明を実施するための形態】
【０００７】
詳細な説明
以下、図面を特定的に詳しく参照するが、示される詳細は例示であって、本発明の好ましい実施形態の例示的な説明の目的のために過ぎず、発明の原則および概念的局面の最も有用なかつ容易に理解される説明であると考えられるものを設ける過程において提示される。この点に関して、発明の基本的な理解のために必要となる以上に詳しい発明の構造的詳細は示さず、図面とともになされる説明は、発明のいくつかの形態が、実際にどのように具現化され得るかを当業者に明らかにするものである。
【０００８】
発明の少なくとも１つの実施形態を詳しく説明する前に、発明は、その適用において、以下の説明に記載されるまたは図面に図示される部品の構造および配置の詳細に限定されるものではないことを理解されたい。発明は、他の実施形態に適用可能である、またはさまざまな形で実施されるもしくは行なわれる。さらに、明細書中で用いられる表現および用語は、説明目的であって、限定的として見なされるべきではないことを理解されたい。
【０００９】
図１Ａ〜図１Ｃは、発明の一部の実施形態に係る沖合養殖システム１００の高階層概略図である。図２Ａ〜図２Ｄは、発明の一部の実施形態に係る沖合養殖システム１００の槽床１３７および槽取付けの詳細の高階層概略図である。
【００１０】
沖合養殖システム１００は、養殖を支持するための保管およびメインテナンス設備１１５を有する半潜水可能なプラットフォーム１１０を含む。枠組み１２０は、ほとんどが海面以下で、半潜水可能なプラットフォーム１１０に接続される。枠組み１２０は、海の状態に耐え、かつ養殖用に用いられる複数の網で覆われた剛性養殖槽１３０を支持するように構成される。枠組み１２０および槽１３０とともに、半潜水可能なプラットフォーム１１０は、安定であり、海上での長期操作期間のために適合される。枠組み１２０は、半潜水可能なプラットフォーム１１０の領域をはるかに越えて延在し、多数の槽１３０を支持してもよい。枠組み１２０は矩形であり、グリッド状に配置された槽１３０を支持してもよい。
【００１１】
槽１３０は、たとえば、魚類、貝類、観賞用水産物類などのさまざまな種類の養殖に適合されてもよい。槽１３０は、網１３０Ａにより覆われ（図１Ｃ）、槽１３０内に養殖される生物を維持する。槽１３０は、鉛直方向に細長い、すなわち、それらは槽１３０の水平方向の寸法１３２Ａ、１３２Ｂより大きい鉛直方向寸法１３１を有する。たとえば、槽１３０は、鉛直方向寸法１３１が３０ｍであり、水平方向寸法１３２Ａ、１３２Ｂが１５ｍであってもよい。槽１３０は、傾斜した床１３７を有し、槽１３０からの魚介類の取出しを容易にしてもよい。枠組み１２０は、槽１３０の鉛直方向寸法を有してもよい、すなわち、鉛直方向寸法１３１と同じ深さまたは若干それより深く構築されてもよい。
【００１２】
魚介類は、吸上げ、汲上げ、クレーンまたはねじポンプを用いて取出されてもよい。
沖合養殖システム１００はさらに、仕分けシステムを含んでもよく、仕分けシステムは、魚介類をサイズにより仕分け、魚介類が成長するにつれてそのサイズに従ってこれらを槽１３０間で動かすように構成される。
【００１３】
メインテナンス設備１１５は、槽１３０および魚介類を（視覚的に、化学的になど）監視するためのコンピュータ化センターを含んでもよく、コンピュータ化センターは、たとえば、魚介類の生物量を測定し、給餌プロセスを管理および制御し、病気の兆候を検出し、乗組員が養殖を継続的に監督できるようにする。
【００１４】
沖合養殖システム１００はさらに、槽１３０が水中にある状態で、乗組員が、部品の解体および取換えを含むメインテナンスを２４時間行なうことができるようにする設備を含んでもよい。
【００１５】
半潜水可能なプラットフォーム１１０は、供給物および魚介類の搬送を可能にするドッキング船への操作可能なインターフェイスと、供給物および魚介類の取出しのためのヘリコプター着陸地とを含んでもよい。
【００１６】
図３Ａ〜図３Ｄは、発明の一部の実施形態に係る沖合養殖システム１００の位置付け装置１４０およびロック機構１６０の高階層概略図である。
【００１７】
槽１３０は、制御可能な位置付け装置１４０により枠組み１２０に可動に接続され、プラットフォーム１１０に対して鉛直方向に可動である。位置付け装置１４０は、槽１３０を、槽１３０が枠組み１２０内で鉛直方向に収容される上部位置１３３Ａと、槽１３０が枠組み１２０の下方に位置付けられる下部位置１３３Ｂとの間で動かすように構成されてもよい。槽１３０は、追加の中間位置１３３Ｃを有してもよい（図１Ｂ）。制御可能な位置付け装置１４０は、枠組み１２０の一部であるレール１３８Ａを含んでもよく（図２Ｄ）、槽１３０はレール１３８Ａに沿って摺動してもよく、制御可能な位置付け装置１４０はさらに、モータ１４１を含んでもよく（図３Ａ）、モータ１４１は、槽１３０に接続され、制御ユニット１５０により制御され、槽１３０を鉛直方向に動かすように構成される。傾斜床１３７は、槽１３０の一部である内側レーリング１３９Ａに沿って摺動してもよい。槽１３０の摺動面１３８Ｂおよび床１３７の摺動面１３９Ｂは、摺動インターフェイスから生物による汚れを機械的に除去（たとえば、かき出しにより）してもよい。枠組み１２０に対する槽１３０の相対的な移動および槽１３０に対する床１３７の相対的な移動は、たとえば、ホイールなど、摺動以外の手段により行なわれてもよい。代替的にまたは追加的に、生物による汚れは、水噴射を用いた水中ロボットにより槽１３０から除去されてもよい。
【００１８】
システム１００はさらに、制御ユニット１５０を含み、制御ユニット１５０は、位置付け装置１４０を制御し、海の状態に従って海面に対する剛性養殖槽１３０の深さを決定するように構成される。制御ユニット１５０は、気象学的センサを含んでもよく、気象学的センサからの測定に基づいて、測定され、予測される海の状態に対する槽１３０の最適な深さを自動的に決定するように構成されてもよい。
【００１９】
制御可能な位置付け装置１４０は、モータ１４１を含んでもよく、モータ１４１は、槽１３０の鉛直方向に可動な床１３７に接続された鉛直方向のケーブル１４２により槽１３０に接続される。モータ１４１は、プラットフォーム１１０上に位置付けられてもよく、クランク、巻上げ機、または任意の他の機械装置により、張力が各槽１３０のケーブル１４２に伝達されてもよい。モータ１４１は、電気式、油圧式または要求される力に適用可能な如何なるタイプのものであってもよい。モータ１４１は、半潜水可能なプラットフォーム１１０に乗ったクレーンにより取換えられ、援助されてもよい。半潜水可能なプラットフォーム１１０はさらに、膨張可能なチューブ、容器または他の要素などの浮力機構を含んでもよく、これらは、制御ユニット１５０の制御下で浮力を変更してもよい。
【００２０】
制御可能な位置付け装置１４０は、槽１３０および床１３７を位置付けるためのロック機構１６０を含んでもよい。図３Ａ〜図３Ｄに図示される一例では、ロック機構１６０は、回転可能な鉛直方向シャフト１６１を含んでもよく、これは、シャフト１６１に沿って特定の高さにいくつかの平行なピン１６２（ここでは１６２Ａ、１６２Ｂおよび１６２Ｃとして示される）を含み、ピン１６２は、槽１３０における対応する穴１６６（ここでは１６６Ａ、１６６Ｂおよび１６６Ｃとして示される）に嵌入する。各槽１３０は、床１３７の縁に隣接する回動された回転可能なタブ１６４を含み、回転可能なタブ１６４は、シャフト１６１からの突起１６３によりロックされ、突起１６３は、ロック機構１６０の一部である。
【００２１】
突起１６３は、回転可能なタブ１６４に嵌入し、シャフト１６１が回転されると、タブ１６４を回転させるように構成される。たとえば、タブ１６４は、ピボット１６４Ａで槽１３０に回動可能に接続されてもよく、突起１６３およびストッパ１６４Ｂを受けるソケット１６４Ｃを有してもよい。
【００２２】
ロック機構１６０は、床ロック位置１６０Ａおよび槽ロック位置１６０Ｂを有し、これらの位置は、シャフト１６１の回転により相互に変更可能である。
【００２３】
床ロック位置１６０Ｂでは、槽１３０をケーブル１４２により鉛直方向に動かす上方鉛直方向移動の際に、タブ１６４を保持し、床１３７を槽１３０に接続する（図３Ａ中の詳細１３４Ａ）。ケーブル１４２は床１３７に接続され、タブ１６４は、ストッパ１６４Ｂが槽１３０から床１３７の上方に突出するように回転されるため、床１３７を上方に引き上げると、槽１３０全体が上昇する（図３Ａ中の詳細１３４Ａ）。
【００２４】
槽ロック位置１６０Ａでは、突起１６３はタブ１６４を（たとえば、回転により、槽１３０の縁に平行であり、床１３７の上方ではない位置まで）解除し、床１３７を開放する（図３Ａ中の詳細１３４）。さらに、ピン１６２が槽１３０における対応する穴１６６内に（たとえば、同じ回転により）挿入され（ピン１６２Ａ、１６２Ｂおよび１６２Ｃは、それぞれ穴１６６Ａ、１６２Ｂおよび１６２Ｃに対応する）、槽１３０を固定しつつ床１３７を鉛直方向に動かす（図３Ａ中の詳細１３４Ｂ）。
【００２５】
たとえば、荒海では槽１３０を降下し、嵐状態および強い波による魚介類への被害を回避してもよい。穏やかな海の期間中には、槽１３０は、飼育される生物のための条件に従ってより浅い水中に置かれてもよい。このメカニズムおよび制御パターンは、養殖される魚介類または他の生物を保護しながら、比較的小さな介入労力しか必要としない。すなわち、槽は水平方向に動かされる必要はなく、槽を保護または動かすための追加の容器および要員が不要となる。さらに、陸からの介入が不要であり、海の状態はその場で測定されるため、制御ユニット１５０の反応時間が比較的短い。床１３７を上昇させることにより、魚介類の槽１３０中での取扱いが容易となり得る。
【００２６】
槽１３０はさらに、追加の仕切り（図示せず）を含んでもよく、追加の仕切りは、魚介類の成長状態を制御し、魚介類のより簡単な回収を可能にするために、魚介類の槽１３０内に存在する量を制御するために用いられる。仕切りは可動であってもよく、魚介類を保護し、状態の変化を段階的にするために、仕切りの動きは槽１３０の動作と連係される。たとえば、荒海が予報される場合、魚介類を仕切りにより槽１３０内でさらに降下させてもよく、予報が現実となった場合、槽１３０を降下させるとともに、仕切りを一時的に上昇させて、魚介類をより長い時間収容してもよい。最終的に、最大深さが必要になると、槽１３０および仕切りの両方を降下させてもよい。仕切りはさらに、各槽１３０内の魚介類の種類またはサイズを制御するために用いられてもよい。
【００２７】
図４は、発明の一部の実施形態に係る沖合養殖方法２００を図示する高階層フローチャートである。
【００２８】
方法２００は、半潜水可能なプラットフォームに接続された枠組みに可動に接続された、複数の網に覆われた剛性養殖槽内で養殖を行なうこと（段階２１０）を含み、槽の鉛直方向寸法は、その水平方向寸法よりも大きく、槽は、枠組みに対して鉛直方向に可動である。方法２００はさらに、海の状態に従って海面に対する槽の深さを制御すること（段階２２０）と、槽内での継続的な沖合養殖を支持するために、プラットフォームを設置すること（段階２３０）とを含む。
【００２９】
方法２００はさらに、海の状態に従って槽を沈めるおよび浮かせること（段階２２５）をさらに含んでもよい。
【００３０】
方法２００はさらに、鉛直方向に可動な仕切りまたは鉛直方向に可動な床により、各槽をさらに区切ること（段階２１５）とを含んでもよい。
【００３１】
方法２００はさらに、槽を動かして、枠組みから生物による汚れを機械的に除去すること（段階２２６）と、槽内の仕切りを動かして、仕切りから生物による汚れを機械的に除去すること（段階２１６）とを含んでもよい。
【００３２】
方法２００はさらに、槽を水中に維持すること（段階２４０）を含んでもよい。
提案されるシステム１００および方法２００は、先行技術ＷＩＰＯ文献番号２００４０４３７７７号に対して、次のいくつかの利点を有する。（ｉ）槽１３０および枠組み１２０の剛性は、外海状態下でシステム１００のより高い安定性および耐久性を与える。（ii）槽１３０の鉛直方向の動きが、現行の海の状態と密に関連してより確実に行なわれ、先行技術において、陸から来る要員による介入の必要性により発生し得る大きな遅れがない。（iii）搭載プラットフォーム１１０によるメインテナンスは、陸からのメインテナンスよりずっと確実かつ正確である。たとえば、給餌は海の状態とは無関係にオンタイムで行なわれ、緊急事態は素早く対応される。
【００３３】
上記の説明において、ある実施形態は、発明の一例または一実施例である。「一実施形態」、「ある実施形態」または「一部の実施形態」のさまざまな記載は、必ずしもすべてが同じ実施形態を指すものではない。
【００３４】
発明のさまざまな特徴を１つの実施形態の文脈で説明したが、特徴は、別々または任意の好適な組合せで提供されてもよい。逆に、明確さのために、発明を別々の実施形態の文脈で明細書中に説明したが、発明は、単一の実施形態で実施されてもよい。
【００３５】
発明の実施形態は、上記に開示した異なる実施形態からの特徴を含んでもよく、実施形態は、上記に開示した他の実施形態からの要素を含んでもよい。特定の実施形態の文脈で発明の要素が開示されても、それらの使用を特定の実施形態のみに限定するとして見なされるべきではない。
【００３６】
さらに、発明は、さまざまな形で行なわれる、または実施されることができ、発明は、上記の説明に要約されたもの以外の実施形態で実施可能であることを理解されたい。
【００３７】
発明は、上記の図または対応する説明に限定されない。たとえば、フローは、それぞれの図示された箱もしくは状態、または、図示され、説明されたのと全く同じ順で進む必要はない。
【００３８】
明細書中に用いられる技術用語の意味は、特に規定がない限り、発明の属する分野の当業者により一般的に理解されるとおりである。
【００３９】
発明を限定的な数の実施形態について説明したが、これらは発明の範囲に対する限定事項としてでなく、好ましい実施形態の一部の例示として解釈されるべきである。他の可能なバリエーション、変更および適用もまた、発明の範囲内である。
【図１Ａ】
2015515863.tif 000003
【図１Ｂ】
2015515863.tif 000004
【図１Ｃ】
2015515863.tif 000005
【図１Ｄ】
2015515863.tif 000006
【図２Ａ】
2015515863.tif 000007
【図２Ｂ】
2015515863.tif 000008
【図２Ｃ】
2015515863.tif 000009
【図２Ｄ】
2015515863.tif 000010
【図３Ａ】
2015515863.tif 000011
【図３Ｂ】
2015515863.tif 000012
【図３Ｃ】
2015515863.tif 000013
【図３Ｄ】
2015515863.tif 000014
【図４】
2015515863.tif 000015
【国際調査報告】
2015515863.tif 000016
2015515863.tif 000017